(57)【要約】      （修正有）【課題】円形刃物の歯部に対する被覆物の巻きつきを防止し又刃物の脱着と所定の間隙を保持する固定方法を単純化し、さらに加工用電線の差込みと供給を的確に行うことができる電線の被覆物剥離機を提供する。【解決手段】箱形支柱の一側方に突出した駆動軸６と従動軸８に一対の円形刃物１０、１１を嵌装し指廻しノブ１２で締めつける。又歯部の歯底を浅く円弧状に形成し、被覆物の巻きつきを防止し、又円形刃物１０、１１の隙間の調整はネジ軸１５をハンドル１８にて移動板１４を微動調節しクランプレバー１７で所定の位置で固定する。そして加工用電線は差込口に設置したワークガイドの溝に合わせて介挿する。【選択図】図１
0003163499.tif 000002
【実用新案登録請求の範囲】
【請求項１】
ベース１に直立固定した箱形支柱２の下部に駆動軸６と従動軸８に下部軸受７と上部軸受け９を嵌入し、固定板１３、移動板１４を嵌設する。その両軸の一端部に一対の円形刃物１０、１１を嵌装しノブ１２で固定する。と共に箱形支柱２の右側に減速機付モーター４を載置し、駆動軸６はカップリング５を介してモーター軸と連結し、さらに移動板１４を案内するガイド１９とそれを移動させるネジ軸１５を六角ナット１６とクランプレバー１７、ハンドル１８等と螺合し、さらに長孔３０、締付レバー３１を有する箱形支柱２の側面に刃物カバー３と透明トビラ３２、ツマミ３３及びノゾキ窓２０、電線差込口２１、排出口２４、ワークガイド２２を具備し、ベース１に固着した引出し２５を脚台２８に載設して成る電線の被覆物剥離機。
【考案の詳細な説明】
【技術分野】
【０００１】本考案は導体部の外周が被覆材層で被覆されている電線を自動的に剥離することが出来る電線の被覆物剥離機に関するものである。
【背景技術】
【０００２】従来の皮剥き機は筐体の支柱に一対の軸を上下に平行配置し、上下の軸の一端に一対の円形刃物をボトルで固定し、さらに下部軸の他端にカップリングを介して減速機付モーターを連結配置してなる構造のものが知られている。
（実公平６−４０４１７号公報参照）
【考案の概要】
【考案が解決しようとする課題】
【０００３】上記、従来のものは電線を剥離し排出する時、被覆物が巻きつくことがあり又、刃物交換する場合、刃物カバーを外したり、六角レンチで取りつけるなど時間を要し効率よく仕事が出来なかった。本考案はそれらの本機中枢部の欠点を除去し新規なる電線の被覆物剥離機を提供することを課題とした。
【課題を解決するための手段】
【０００４】本考案の構成は先ずベース上に箱型支柱を固定し、支柱の上下部に従動軸と駆動軸を平行に配置して回転自在に支持し同じく一対の刃物を嵌着し、ノブにて固定し刃物の脱着を簡便にした。【０００５】刃物の歯底を若干浅く、円弧状に形成し、被覆物の巻きつきを最小限にした。【０００６】従動軸に嵌着した刃物を上下に移動し、相対する刃物の間隙を調節する時はネジ軸にて移動板を作動させ、所定の位置でクランプレバーで固定する。
又、加工用電線をワークガイドで介挿し、剥離作業をやり易くした。
【考案の効果】
【０００７】円形刃物の着脱と交換は、刃物カバーを外すことなく、指で廻すノブにて簡単に出来る。【０００８】一対の円形刃物の歯部に被覆物が巻きつくトラブルを最小限防止出来る。【０００９】相対する円形刃物の歯部の間隙を設定する時、調節と固定が簡単に出来る。【００１０】ワークガイドで電線を介挿するために剥離作業が的確に早く捗る。【００１１】キャスター付き脚台のため適宜の場所に移動可能であり、さらにゴムパッドと把手を有し、ベースに固定した引出し故に、脚台から外して他の場所に載置して作業することも出来る。【００１２】以上のように本考案は更新的に改良した構造のため、作業性良好な効率の高い作業が出来る。
【図面の簡単な説明】
【００１３】
【図１】  本考案の実施例を示す一部断面正面図
【図２】  本考案の脚台２８を除いた正面図
【図３】  Ｘ−Ｘ断面図
【図４】  円形刃物１０、１１の剥離作用を示す断面図
【図５】  箱形支柱２、刃物カバー３の正面図
【図６】  透明トビラ３２を開けた矢視図
【考案を実施するための形態】
【００１４】図１は本考案の一部断面正面図であり、ベース１の左側に箱形支柱２を直立固定し、刃物カバー３を取りつける。又右側に減速機付モーター４を載設する。
【００１５】箱形支柱２の右側には減速機付モーター４の軸にカップリング５を介して駆動軸６を下部軸受７にて支承する。同じく従動軸８も上部軸受９にて支承する。
そして駆動軸６と従動軸８は共に箱形支柱２から左方に突出させこれらの突出部に一対の円形歯物１０，１１を嵌入しノブ１２で固定する。
【００１６】下部軸受７と上部軸受９はそれぞれ２個づつ使用し固定板１３と移動板１４をそれぞれ挟むように同芯に固着する。
【００１７】駆動軸６はモーター軸の位置を基準としてカップリング５を介して、固定板１３を上下に調整しながら両軸の中心線が一直線になるようにして固定板１３を箱形支柱２の側面にボルトで固定する。
【００１８】従動軸８を支持し、上部軸受９を有する移動板１４にネジ軸１５を箱形支柱２の上面に固着した六角ナット１６と共に螺合し、さらにクランプレバー１７及びハンドル１８も螺着する。
【００１９】図３に示すように箱形支柱２の相対する２面にガイド１９を片面２本づつ計４本を固定し、固定板１３と移動板１４を擢動可能に嵌設する。
【００２０】図２に示すように刃物カバー３の正面にノゾキ窓２０、電線差込口２１を形成しワークガイド２２をブラケット２３で所定の位置に固定する。又電線差込口２１の対向側に剥離された電線の排出口２４を設けさらに刃物カバー３の左側に片開き式透明トビラ３２を取付けツマミ３３を固着した。
【００２１】又、図１に示すベース１と部品を収納する引出し２５、持運び用の把手２６を一体的に構成し、ブレーキ付キャスター２７を有する脚台２８に載設する。
そして引出し２５にゴムパッド２９を膠接し、脚台２８から分離して、他の場所に置けるようにした。
【００２２】次に図２に示す如く箱型支柱２の正面に移動板１４の調整用長孔３０を形成し締付レバー３１を固設した。
【００２３】又図２に示すようにカップリングカバー３４とモーターカバー３５も装設した。
【００２４】次に図４に示す如く上下の一対の円形刃物１０、１１が加工用電線３６の被覆物３６ａを剥離する作用に就いて説明する。先ずハンドル１８の操作により設定された円形刃物１０と１１の隙間に加工用電線３６を差込む前にスイッチ３７をＯＮにすると駆動軸６が回転し同時に円形刃物１０が回転する。そして設定された鋭歯１０ａと１１ａの間隙に加工用電線３６を差込むと直角歯１０ｂと１１ｂにより挟持される。これにより円形刃物１０の駆動回転力が加工用電線３６を介して上部円形刃物１１が従動回転し加工用電線３６はつぶされて略楕円形に変形する。と共に鋭歯１０ａと１１ａが被覆物３６ａを長手方向に上下同時に切り裂き芯線３６ｂから剥離することが出来る。
【００２５】又、加工用電線３６がつぶれてから被覆物３６ａを切断するために鋭歯１０ａ、１１ａは直角歯１０ｂ、１１ｂの外径より歯先円を若干小径に構成した。さらに巻きつきを防止するために歯底１０ｃ、１１ｃを浅く円弧状に構成し、又直角歯１０ｂ、１１ｂの外径上に加工用電線３６を連続的に送り込むためにローレット加工を施し、歯部全周を熱処理加工をする。
【実施例】
【００２６】以下、本考案の実施例を図面に基づいて説明する。先ず図１に示す如く調節機構のハンドル１８を操作して円形刃物１０、１１の間隙を加工用電線３６の外径に合せて設定し、クランプレバー１７にて固定する。【００２７】次いでスイッチ３７をＯＮにし減速機付モーター４を始動させ、加工用電線３６を所定の位置に固設したワークガイド２２の対応する溝に介挿する。然すれば加工用電線３６は剥離されて対向側排出口２４より被覆物３６ａと芯線３６ｂに分れて排出される。【００２８】又、異径の電線を剥離する時は他の円形刃物と交換する。円形刃物は２種類あり引出し２５に収納する。【００２９】若し万一被覆物３６ａが円形刃物１０、１１に巻きついた時は透明トビラ３２を開けてノブ１２を外し円形刃物１０，１１を取り出して被覆物３６ａを除去する。但し、一対の円形刃物は２種類共、任意の電線の大きさに対処したもので、大きさと剥離する作用も同じである。
【符号の説明】
【００３０】  １    ベース                １８    ハンドル
２    箱形支柱              １９    ガイド
３    刃物カバー            ２０    ノゾキ窓
４    減速機付モーター      ２１    電線差込口
５    カップリング          ２２    ワークガイド
６    駆動軸                ２３    ブラケット
７    下部軸受              ２４    排出口
８    従動軸                ２５    引出し
９    上部軸受              ２６    把手
９    円形刃物              ２７    キャスター
１０ａ  鋭歯                  ２８    脚台
１０ｂ  直角歯                ２９    ゴムパッド
１０ｃ  歯底                  ３０    長孔
１１    円形刃物              ３１    締付レバー
１１ａ  鋭歯                  ３２    透明トビラ
１１ｂ  直角歯                ３３    ツマミ
１１ｃ  歯底                  ３４    カップリングカバー
１２    ノブ                  ３５    モーターカバー
１３    固定板                ３６    加工用電線
１４    移動板                ３６ａ  被覆物
１５    ネジ軸                ３６ｂ  芯線（銅線）
１６    六角ナット            ３７    スイッチ
１７    クランプレバー
【図１】
0003163499.tif 000003
【図２】
0003163499.tif 000004
【図３】
0003163499.tif 000005
【図４】
0003163499.tif 000006
【図５】
0003163499.tif 000007
【図６】
0003163499.tif 000008
【手続補正書】
【提出日】平成22年7月17日(2010.7.17)
【手続補正１】
【補正対象書類名】実用新案登録請求の範囲
【補正対象項目名】全文
【補正方法】変更
【補正の内容】
【実用新案登録請求の範囲】
【請求項１】
（１）引出し２５に固着したベース１の上に直立固定した箱型支柱２の下部に駆動軸６を減速機付きモーター４の軸と直線状にカップリング５を介して連結し、固定板１３を箱型支柱２の両側面に固定し下部軸受７を固定板１３の両面に取りつけて円形刃物１０を嵌入しノブ１２で固着する。
（２）従動軸８は駆動軸６に対して平行に配設し、箱型支柱２の両側面にガイド１９を片側２本づつ計４本を固定し固定板１３と移動板１４を摺動可能に配設し、上部軸受９を移動板１４の両面に固定して円形刃物１１を嵌入しノブ１２で固着する。
（３）移動板１４を上下に調整するネジ軸１５に箱型支柱２に固着した六角ナット１６、クランプレバー１７を螺合し、ハンドル１８を固装し箱型支柱２に形成した長孔３０から移動板１４を仮止めする締付けレバー３１を固設した。
（４）箱型支柱２の側面に刃物カバー３と透明トビラ３２を固定し、ノゾキ窓２０、電線差込口２１、排出口２４、ワークガイド２２を具備し、ベース１に固着した引出し２５を脚台２８載設する。
以上の構成からなることを特徴とする電線の被覆物剥離機。